(57)【要約】【課題】ライ角やフェイス角などを容易に調整でき、ヘッドとシャフトとの固定が強固で安定するゴルフクラブを提供する。【解決手段】ヘッド本体２のホーゼル７に上端が開口し且つ底面がソール４のヒール６寄りに位置する挿入穴１０を有するゴルフクラブヘッドＨと、挿入穴１０にシャフトＳと共に挿入され、且つシャフトＳの先端部に接着される筒形の本体１２、および本体１２の底面１４に開口する雌ネジ孔１５を備える取替可能な角度調整パーツＣ１と、上記ヘッドＨのソール４側から挿入穴１０の底面を貫通し且つ角度調整パーツＣ１の雌ネジ孔１５にネジ結合する固定ボルト１６と、を含む、ゴルフクラブ１。【選択図】  図１
2006042951.tif 000002
【特許請求の範囲】
【請求項１】
ヘッド本体のホーゼルに上端が開口し且つ底面がソールのヒール寄りに位置する挿入穴を有するゴルフクラブヘッドと、
上記挿入穴にシャフトと共に挿入され、且つ係るシャフトの先端部に接着される筒形の本体、および係る本体の底面に開口する雌ネジ孔を備える取替可能な角度調整パーツと、
上記ヘッドのソール側から上記挿入穴の底面に貫通し且つ上記角度調整パーツの雌ネジ孔にネジ結合する固定ボルトと、を含む、
ことを特徴とするゴルフクラブ。
【請求項２】
前記角度調整パーツは、前記シャフトの先端部を受け入れる凹部を内設すると共に、係る凹部の中心軸が上記シャフトの中心軸と一致するものと、一致しない単数または複数のもの、との複数が用意されている、
ことを特徴とする請求項１に記載のゴルフクラブ。
【請求項３】
前記角度調整パーツの外側面と前記ヘッドの挿入穴の内壁面とには、互いに面接触可能な非円形断面の接触面がそれぞれ形成されているか、あるいは、凸条とこれを受け入れる凹溝との何れか一方が形成されている
ことを特徴とする請求項１または２に記載のゴルフクラブ。
【発明の詳細な説明】
【技術分野】
【０００１】
本発明は、ゴルファーの体形、技量、あるいは好みに応じて、ライ角、フェイス角、およびロフト角の少なくとも一つを容易に調整することができるゴルフクラブに関する。
【背景技術】
【０００２】
ドライバーやフェアウェイウッドと称されるウッドは、シャフトとヘッドのソールとの間の角度であるライ角、シャフトの中心線に対するヘッドのフェース面の傾きであるロフト角、およびフェース面とシャフトの中心線との間の角度であるフェース角が、一般に一つの角度に設定されている。
一方、アドレス状態においてゴルファーがグリップする位置は、当該ゴルファーの身長や腕の長さなどの体形、あるいはゴルファーの技量向上によって左右されるため、例えば上記ライ角を体形や技量の向上に応じて変更できるよう調整したくなる場合が往々にして生じる。
【０００３】
そこで、ライ角、ロフト角、フェース角を調整可能としたゴルフクラブとして、シャフトの中心軸に対して約３度傾斜可能なインサートを当該シャフトの先端に嵌合し、且つ係るシャフトとインサートとをヘッドの内部ホーゼルに挿入して固定するゴルフクラブ調整デバイスが提案されている（例えば、特許文献１参照）。
また、ヘッドのヒール側に設けたシャフト角度調整ケース内にシャフトの先端部を挿入し、当該シャフトと上記ケースとの間に接着剤を充填し且つゴム製の移動阻止体を収容した状態で、上記シャフトを固定する角度調整可能ゴルフクラブも提案されている（例えば、特許文献２参照）。上記移動阻止体には、ライ角度調節片とフェイス角度調節片とが形成されている。
【０００４】
【特許文献１】特開２００２−１５３５７４号公報（第１〜１０頁、図８）
【特許文献２】特開２００４−２４２９３号公報（第１〜９頁、図１）
【０００５】
しかしながら、特許文献１，２に開示されたゴルフクラブでは、前記インサートの周面に設けた環状凹み部にロッキング部材（ボルト）の先端を径方向から当接させたり、あるいは、前記シャフト角度調整ケースのネジ孔を螺合ししつ貫通する調整ネジの先端をシャフトの周面に径方向から当接することで、シャフトとヘッドを固定している。このため、後端部がヘッドのヒール側に突出する上記ロッキング部材や調整ネジが、例えば不用意な外力などの何らかの原因で緩むと、せっかく調整したライ角などが解消されてしまう、という問題があった。
【発明の開示】
【発明が解決しようとする課題】
【０００６】
本発明は、前記背景技術における問題点を解決し、ライ角やフェイス角などを容易に調整でき、ヘッドとシャフトとの固定が強固で安定するゴルフクラブを提供する、ことを課題とする。
【課題を解決するための手段および発明の効果】
【０００７】
本発明は、上記課題を解決するため、シャフトの先端部をヘッドのヒール側でホーゼルに開口する挿入穴内で角度を変更可能としつつ強固且つ安定して固定できるようにする、ことに着想して成されたものである。
即ち、本発明のゴルフクラブ（請求項１）は、ヘッド本体のホーゼルに上端が開口し且つ底面がソールのヒール寄りに位置する挿入穴を有するゴルフクラブヘッドと、上記挿入穴にシャフトと共に挿入され、且つ係るシャフトの先端部に接着される筒形の本体、および係る本体の底面に開口する雌ネジ孔を備える取替可能な角度調整パーツと、上記ヘッドのソール側から上記挿入穴の底面に貫通し且つ上記角度調整パーツの雌ネジ孔にネジ結合する固定ボルトと、を含む、ことを特徴とする。
また、本発明には、前記角度調整パーツは、前記シャフトの先端部を受け入れる凹部を内設すると共に、係る凹部の中心軸が上記シャフトの中心軸と一致するものと、一致しない単数または複数のもの、との複数が用意されている、ゴルフクラブ（請求項２）も含まれる。
【０００８】
これらによれば、前記角度調整パーツを取り替えることにより、所望のライ角、フェース角、およびロフト角に素人でも迅速且つ容易に調整できる。また、角度調整パーツおよび固定ボルトは、ヘッド本体の内部に位置するため、何らかの外力よって固定ボルトと角度調整パーツの雌ネジ孔とのネジ結合が緩んで、上記調整したライ角などが解消されず安定して保たれるので、安心してプレイすることができる。しかも、構成部品数が少ないため、容易に角度調整できるゴルフクラブを安価に提供することも可能となる。
尚、前記ゴルフクラブには、ウッド（ドライバー、フェアウェイウッド）などに限らず、前記角度調整パーツが適用可能なアイアンも含まれる。また、前記ヘッドには、例えばチタン合金などを精密鋳造したウッドなどの他、チタン合金板またはステンレス鋼板を溶接などで組み立てたウッドなど、あるいは、パーシモンなどからなるウッドも含まれる。
【０００９】
更に、本発明には、前記角度調整パーツの外側面と前記ヘッドの挿入穴の内壁面とには、互いに面接触可能な非円形断面の接触面がそれぞれ形成されているか、あるいは、凸条とこれを受け入れる凹溝との何れか一方が形成されている、ゴルフクラブ（請求項３）も含まれる。
これによれば、角度調整パーツとヘッドとを相対的に回転不能にできるため、前述の調整したライ角などが解消されず安定して保つことができる。
尚、上記接触面は、角度調整パーツの外側面の一部と前記ヘッドの挿入穴の内壁面の一部とに設けた一対の平坦面のほか、これらを含む四角柱や六角柱を呈する外側面および内壁面が含まれる。
【発明を実施するための最良の形態】
【００１０】
以下において、本発明を実施するための最良の形態について説明する。
図１は、本発明のゴルフクラブ１を示す一部に垂直断面を含む正面図である。
ゴルフクラブ１は、図１に示すように、ゴルフクラブヘッド（以下、ヘッドと称する）Ｈと、係るヘッドＨのヒール６側のホーゼル７に上端が開口し且つ底面がソール４寄りに位置する挿入孔１０に先端部が挿入されるシャフトＳと、係るシャフトＳの先端部の外側に接着される角度調整パーツＣ１と、係るパーツＣ１を上記挿入孔８内に固定する固定ボルト１６と、を含む。
ヘッドＨは、例えば、チタン合金を精密鋳造した中空部ｎを内蔵する中空体であり、図１に示すように、フェース３、ソール４、クラウン５、ヒール６、ホーゼル７、およびバックフェース（図示せず）からなり、上記挿入孔１０の底面には、ソール４に隣接する窪み部８に貫通する段付きの通し孔９が形成してある。
【００１１】
角度調整パーツＣ１は、例えばチタン合金またはアルミニウム合金の鋳造材または鍛造材からなり、図３中の左上の外観および中央上の断面で示すように、円筒形（筒形）の本体１２、その内側に軸方向に沿って内設する円柱形の凹部１３、および本体１２の底面１４の中央に開口した雌ネジ孔１５を備えている。係る雌ネジ孔１５には、前記固定ボルト１６がネジ結合する。上記凹部１３の中心軸は、本体１２の中心軸と一致（同軸心）している。また、上記本体１２の外径は、ヘッドＨの前記挿入穴１０の内径とほぼ同じか、僅かに小径である。
図示のように、本体１２の底面１４寄りには、断面正六角形（非円形断面）の接触面１２ａが形成されている。図３の下方に示すように、ヘッドＨの挿入穴１０の底面寄りには、上記接触面１２ａと面接触可能な断面正六角形（非円形断面）の接触面１１が形成されている。
【００１２】
ゴルフクラブ１は、以下のようにして組み立てられる。
先ず、図１，３に示すように、角度調整パーツＣ１を、その凹部１３にシャフトＳの先端部を熱軟化性接着剤を介して嵌入することで、当該シャフトＳの先端部に接着する。尚、係る接着に先立って、シャフトＳの中間にキャップ１８を挿通しておく。
次いで、図３中の一点鎖線の矢印で示すように、キャップ１８を挿通したシャフトＳの先端部を、角度調整パーツＣ１と共に、ヘッドＨの挿入穴１０にホーセル７側から挿入する。この際、互いに非円形断面である上記パーツＣ１の接触面１２ａと、挿入穴１０の接触面１１とが面接触するように挿入する。この結果、シャフトＳおよび角度調整パーツＣ１とヘッドＨとが、相互に回転不能となる。
【００１３】
更に、図３の下方に示すように、固定ボルト１６の雄ネジ部を、ヘッドＨの通し孔９を貫通させてから、図１に示すように、角度調整パーツＣ１の雌ネジ孔１５にネジ結合する。最後に、キャップ１８をヘッドＨのホーゼル７上に移動させる。この結果、図１に示すようなゴルフクラブ１が組み立てられる。
このゴルフクラブ１は、角度調整パーツＣ１の本体１２と凹部１３とが、互いに同軸心であるので、シャフトＳの中心線は、挿入穴１０と同軸心となる。このため、図１に示すように、シャフトＳは、ソール４との間で、ヘッドＨのホーゼル７に付された本来のライ角αを形成する。
【００１４】
次に、例えばゴルファーの身長を考慮して、図２に示すように、前記ライ角αをやや小さく調整する場合について説明する。
先ず、固定ボルト１６を緩めて取り外した後、角度調整パーツＣ１７やキャップ１８と共にシャフトＳを、ヘッドＨの挿入穴１０から上方に抜き出す。上記パーツＣ１を炙って接着剤を軟化させ、シャフトＳから取り外す。当該シャフトＳの先端部に残った接着剤を削るなどして除去する。
次に、図３中の右上に示すような角度調整パーツＣ２を用意する。
係るパーツＣ２は、ほぼ円筒形の本体１２と、係る本体１２の底面１４の中央に開口した雌ネジ孔１５と、前記同様の接触面１１とを有する。また、本体１２の内側には、当該本体１２の中心軸に対し、図２，図３において、時計方向に沿って上端の開口部が０．５〜３度傾斜した中心軸の凹部１３ａが形成してある。
【００１５】
図３中の右上に示すように、角度調整パーツＣ２の凹部１３ａにシャフトＳの先端部を熱軟化性接着剤を介して嵌入し、上記パーツＣ２を当該シャフトＳの先端部に接着する。
次いで、図３中の二点鎖線の矢印で示すように、キャップ１８を挿通したシャフトＳの先端部を、角度調整パーツＣ２と共に、ヘッドＨの挿入穴１０にホーセル７側から挿入する。この際、互いに非円形断面の上記パーツＣ２の接触面１２ａと、挿入穴１０の接触面１１とが面接触するように挿入する。
【００１６】
更に、図３の下方に示すように、固定ボルト１６の雄ネジ部を、ヘッドＨの通し孔９に貫通させ、図２に示すように、角度調整パーツＣ２の雌ネジ孔１５にネジ結合する。最後に、キャップ１８をヘッドＨのホーゼル７上方に移動させる。この結果、図２に示すようなゴルフクラブ１が組み立てられる。
このゴルフクラブ１は、角度調整パーツＣ２の本体１２の中心軸に対して凹部１３ａの中心軸が、図２，図３で時計方向に傾いているため、シャフトＳの中心線は、挿入穴１０の中心線よりも図２，図３で時計方向に０．５〜３度傾斜する。このため、図２に示すように、シャフトＳは、ソール４との間で、ヘッドＨのホーゼル７に付された前記ライ角αよりも小さなライ角αを形成することができる。
【００１７】
図４は、異なる角度調整パーツＣ１′を用いたヘッドＨの部分垂直断面を含む正面図、図５は、図４中のＸ−Ｘ線に沿った矢視における部分断面図である。
図４，図５に示すように、角度調整パーツＣ１′は、円筒形の本体１２と、係る本体１２の内側に同軸心に形成された凹部１３と、本体１２の底面１４の中央に開口した雌ネジ孔１５と、本体１２の外側に軸方向沿って突設した凸条１７と、を備えている。但し、前記接触面１２ａは、形成されていない。
一方、ヘッドＨの挿入穴１０には、図５に示すように、中空部ｎ寄りに延びた凹溝７ａが軸方向に沿って形成されている。
【００１８】
従って、シャフトＳと共に角度調整パーツＣ１′を、ヘッドＨの挿入穴１０に挿入する際、図４，図５に示すように、凸条１７が凹溝７ａに受け入れられるよう嵌合することで、シャフトＳおよび上記パーツＣ１′とヘッドＨとを回転不能にできる。係る状態で、前記固定ボルト１６を上記パーツＣ１′の雌ネジ孔１５によって、図４に示すゴルフクラブ１が組み立てられる。
尚、前記接触面１１を省略した前記角度調整パーツＣ２の本体１２に凸条１７を突設しても良く、挿入穴１０に凹溝７ａを有するヘッドＨに回転不能に挿入して固定することができる。また、凹溝７ａは、ヘッドＨの挿入穴１０内にて、バックフェース３′側で且つフェース面３とほぼ直交する向きで形成しても良い。
【００１９】
更に、前記角度調整パーツＣ２における凹部１３ａの中心軸の傾斜方向を、図６に示すように、ヘッドＨのフェース３とバックフェイス３′との方向に沿うようにして、シャフトＳと共に前記挿入穴１０内に挿入し且つ固定ナット１６をネジ結合させることもできる。
この結果、図６に示すように、フェイス角βを当初の角度よりも、約０．５度〜３度左右方向に調整することが容易に行える。
【００２０】
また、前記角度調整パーツＣ２における凹部１３ａの中心軸の傾斜方向を、図７に示すように、ヘッドＨにおけるフェース３の斜め上方向またはバックフェイス３′の斜め下方向に沿うように、シャフトＳと共に前記挿入穴１０内に挿入し且つ固定ナット１６をネジ結合させることもできる。
この結果、図７に示すように、ロフト角γを当初の状態よりも、上下方向に約０．５度〜３度調整することが容易に行える。尚、この場合、ロフト角γの調整と同時に、ライ角αも変化し得ることに、留意する必要がある。
【００２１】
本発明は、以上において説明した形態に限定されるものではない。
例えば、角度調整パーツの本体の外形状は、円筒形の前記本体１２に限らず、全体が四角筒形、六角筒形、または八角筒形としても良い。併せて、前記ヘッドＨの挿入穴１０の内壁面を、上記四角筒形などと面接触する平坦面（断面非円形の接触面）を形成しても良い。
また、本体の中心軸に対し凹部の中心軸の傾斜が、１〜３度傾斜した３種類目の角度調整パーツを用意しても良い。
更に、前記ゴルフクラブには、ウッド（ドライバー、フェアウェイウッド）などに限らず、前記角度調整パーツが適用可能なアイアンも含まれる。
加えて、前記ヘッドには、例えばチタン合金などを精密鋳造したウッドなどの他、チタン合金板またはステンレス鋼板を溶接などで組み立てたウッドなど、あるいは、パーシモンなどからなるウッドも含まれる。
尚、本発明は、その趣旨を逸脱しない種々に変更することが可能である。
【図面の簡単な説明】
【００２２】
【図１】本発明のゴルフクラブを示す一部に垂直断面を含む正面図。
【図２】上記ゴルフクラブを角度調整した図１と同様な正面図。
【図３】上記ゴルフクラブの構成材を示す分解斜視図。
【図４】異なる角度調整パーツを用いた上記ゴルフクラブを示す上記と同様な正面図。
【図５】図４中のＸ−Ｘ線に沿った矢視における部分断面図。
【図６】フェイス角を調整した上記クラブのヘッド付近を示す概略図。
【図７】ロフト角を調整した上記クラブのヘッド付近を示す概略図。
【符号の説明】
【００２３】
１………………………ゴルフクラブ
２………………………ヘッド本体
４………………………ソール
６………………………ヒール
７………………………ホーゼル
７ａ……………………凹溝
１０……………………挿入孔
１２……………………本体
Ｃ１,Ｃ１′,Ｃ２……角度調整パーツ
１５……………………雌ネジ孔
１６……………………固定ナット
１７……………………凸条
Ｈ………………………ゴルフクラブヘッド
Ｓ………………………シャフト
【図１】
2006042951.tif 000003
【図２】
2006042951.tif 000004
【図３】
2006042951.tif 000005
【図４】
2006042951.tif 000006
【図５】
2006042951.tif 000007
【図６】
2006042951.tif 000008
【図７】
2006042951.tif 000009